(57)【要約】【課題】地盤の掘削時に使用するポリマー系安定液に対して、劣化の度合いと劣化要因に応じて適切な再生処理を行うことの可能な、安定液の品質管理方法を提供する。【解決手段】地盤の掘削時に使用されるポリマー系安定液に対して、ろ水量と化学的酸素要求量を適時測定し、前記ろ水量から劣化の度合いを把握するとともに、前記化学的酸素要求量に基づいて検知される有機物質の含有量からポリマーの濃度変化を推定する。【選択図】図４
2018003299.tif 000002
【特許請求の範囲】
【請求項１】
地盤の掘削時に使用されるポリマー系安定液に対して、ろ水量と化学的酸素要求量を適時測定し、
前記ろ水量から劣化の度合いを把握するとともに、前記化学的酸素要求量に基づいて検知される有機物質の含有量からポリマーの濃度変化を推定することを特徴とするポリマー系安定液の品質管理方法。
【請求項２】
請求項１に記載のポリマー系安定液の品質管理方法において、
前記ろ水量が増加傾向にある場合に、前記ポリマーの濃度変化に応じて前記ポリマー系安定液の再生調合を行い、
前記ろ水量の増加を抑制することを特徴とするポリマー系安定液の品質管理方法。
【発明の詳細な説明】
【技術分野】
【０００１】
本発明は、地盤の掘削時に循環使用されるポリマー系安定液の品質管理方法に関する。
【背景技術】
【０００２】
従来より、現場打ちコンクリート杭や地中連続壁を築造する際には、安定液を用いて掘削壁の崩壊を防ぎながら地盤中に掘削孔や掘削溝を構築する方法が知られている。安定液は、掘削壁面の崩壊を防ぐ機能だけでなく、掘削土砂を排出する媒体としての機能も有しており、掘削土砂とともに揚泥された後に掘削土砂と分離され、再度掘削孔や掘削溝に供給される。しかし、このように循環使用されるうちに性質が劣化してしまい、掘削壁面の崩壊を防ぐ機能を果たせなくなる場合が生じる。
【０００３】
このため、地盤掘削に安定液を用いる際には、その品質を常時管理することが義務付けられている。品質の管理項目としては、例えば特許文献１の従来技術で示されているように、ファンネル粘性、ろ水量、比重、ｐＨおよび砂分が定められており、これら品質管理項目ごとで設定された管理基準値を満足するよう、掘削孔や掘削溝から揚泥された安定液に対して、掘削土砂の分離や配合の修正等の再生処理を行っている。
【先行技術文献】
【特許文献】
【０００４】
【特許文献１】特開平１１−２８６９３０号公報
【発明の概要】
【発明が解決しようとする課題】
【０００５】
上記の品質管理項目のうち、ろ水量は、掘削壁面の崩壊を防ぐ機能の一つである造壁性を評価する項目であり、ろ水量の増加は造壁性の機能低下を示し、この場合には安定液に劣化が生じているものと推定できる。しかし、ろ水量では、機能低下をもたらした安定液の劣化要因を推定することはできない。
【０００６】
特に、安定液にポリマー系安定液を使用する場合には、含有するポリマーに濃度低下や腐敗による分解が生じるとポリマー系安定液の劣化に大きな影響を及ぼすが、これらポリマーの変化を把握するための指標や方法は確立されていない。このため、上記の品質評価項目のみでは、ポリマー系安定液の劣化要因がいずれの事象によるものかを判別することができず、劣化したポリマー系安定液を再生させるべく再生処理を行う場合に、劣化要因に対応した適切な対策を講じることができない。
【０００７】
本発明は、かかる課題に鑑みなされたものであって、その主な目的は、地盤の掘削時に使用するポリマー系安定液に対して、劣化の度合いと劣化要因に応じて適切な再生処理を行うことの可能な、安定液の品質管理方法を提供することである。
【課題を解決するための手段】
【０００８】
かかる目的を達成するため、本発明の安定液の品質管理方法は、地盤の掘削時に使用されるポリマー系安定液に対して、ろ水量と化学的酸素要求量を適時測定し、前記ろ水量から劣化の度合いを把握するとともに、前記化学的酸素要求量に基づいて検知される有機物質の含有量からポリマーの濃度変化を推定することを特徴とする。
【０００９】
また、本発明の安定液の品質管理方法は、前記ろ水量が増加傾向にある場合に、前記ポリマーの濃度変化に応じて前記ポリマー系安定液の再生調合を行い、前記ろ水量の増加を抑制することを特徴とする。
【００１０】
上記の安定液の品質管理方法によれば、ろ水量と化学的酸素要求量を適時測定することから、ろ水量からポリマー系安定液の劣化が進行しているものと判断された場合に、化学的酸素要求量から推定されるポリマーの濃度変化に基づいて、ポリマー系安定液の劣化要因を特定することができる。これにより、劣化要因に対応した適切な対策を講じることができるため、高精度かつ効率的なポリマー系安定液の品質管理が可能となる。
【００１１】
したがって、廃棄処分せざるを得ない程度の劣化に至る前に、劣化要因に対応してポリマー系安定液の再生調合を行い、ろ水量の増加を抑制して造壁性に係る機能回復を図ることができる。このため、安全かつ経済的にポリマー系安定液を利用した地盤掘削施工を実施することが可能となる。
【００１２】
さらに、ろ水量を適時測定し経時的に観測することにより、早期の段階で劣化要因に対応した適切な再生調合を行ことができるため、循環使用するポリマー系安定液の廃棄処分となる量を大幅に低減することができるとともに、ポリマー系安定液の長寿命化を図ることが可能となる。
【発明の効果】
【００１３】
本発明によれば、ろ水量と化学的酸素要求量を適時観測することにより、ポリマー系安定液の劣化の度合いを評価しつつ、ポリマーの濃度変化に基づいて劣化要因を特定し、これに対応した適切な再生処理を行って、ポリマー系安定液の品質管理を行うことが可能となる。
【図面の簡単な説明】
【００１４】
【図１】本発明のポリマー系安定液を用いて掘削溝を構築する様子を示す図である。
【図２】本発明のポリマー系安定液のポリマー濃度とＣＯＤ値の相関関係を示すグラフである（その１）。
【図３】本発明のポリマー系安定液のポリマー濃度とＣＯＤ値の相関関係を示すグラフである（その２）。
【図４】本発明のポリマー系安定液の品質管理方法のフロー図を示すものである。
【図５】本発明のポリマー系安定液におけるろ水量とＣＯＤ値の経時変動を示すグラフである。
【発明を実施するための形態】
【００１５】
本発明におけるポリマー系安定液の品質管理方法は、地盤の掘削からコンクリートが打設されるまでの間、ポリマー系安定液にて掘削壁を保護するにあたり、ポリマー系安定液の品質管理項目に化学的酸素要求量を追加し、ポリマー系安定液の品質管理を行う方法である。
【００１６】
以下に、場所打ちコンクリート造の地中連続壁を構築するべく、地盤に構築される掘削溝の溝壁をポリマー系安定液にて保護する場合を事例とし、図１〜図５を参照して安定液の品質管理方法を説明する。なお、掘削壁は、必ずしも溝壁に限定されるものではなく、例えば場所打ちコンクリート杭を築造するための孔壁等、地盤を掘削して構築したいずれの掘削領域の掘削壁であってもよい。
【００１７】
図１で示すように、地盤掘削により構築途中の掘削溝１には、溝壁２の崩壊を防止するべくポリマー系安定液３が充填されている。ポリマー系安定液３は、主材であるポリマーにベントナイト、逸液防止材、分散剤等を添加したものであり、本実施の形態ではポリマーとして一般に広く知られているＣＭＣ（カルボキシメチルセルロース）を採用している。
【００１８】
このポリマー系安定液３は、掘削溝１に供給されると溝壁２から地盤内に浸透し、土粒子の間にポリマー系安定液３に含有されているベントナイトが付着する。これにより、溝壁２には不透水性の泥膜であるマッドフィルが形成されるが、その際、主材であるポリマーがベントナイトと土粒子との隙間を埋めるだけでなく、ベントナイトと土粒子の吸着を補助するとともに、ベントナイトの劣化を抑制し、より良好なマッドフィルムが形成される。
【００１９】
このように、溝壁２にマッドフィルムを形成する性能、いわゆる造壁性を有することで、マッドフィルムを介してポリマー系安定液３の液圧を溝壁２に作用させることができ、これにより、地盤側の土圧や水圧に抵抗して溝壁２の崩壊を防止して、溝壁２の安定性を確保する。
【００２０】
一方で、ポリマー系安定液３は、掘削土砂の排出媒体としても機能するものであり、地中掘削機４による地盤掘削により生じた掘削土砂とともに揚泥される。揚泥されたポリマー系安定液３は、掘削土砂が混入されることにより劣化して性質が変化することから、再生処理設備５に供給されて機能を回復するための物理的処理および再生調合等の再生処理が実施される。
【００２１】
なお、再生処理設備５は、掘削土砂が混入されたポリマー系安定液３から掘削土砂を分離するための土砂分離装置５１と、掘削土砂が分離されたポリマー系安定液３を貯留する貯留槽５２と、貯留槽５２に貯留されたポリマー系安定液３の再生調合を行う調合装置５３を備えている。
【００２２】
土砂分離装置５１は、例えば、掘削土砂を重力により沈降させる沈殿槽や、機械的に掘削土砂を分離する振動式マッドスクリーン、サイクロン、スクリューデカンタ等、ポリマー系安定液３から掘削土砂を分離するべく一般に使用されている装置であれば、いずれを採用してもよい。また、調合装置５３も、ポリマー系安定液３に補充する材料を添加可能であり、かつ、これらを混合撹拌可能な装置であれば、いずれの設備を有する装置であってもよい。
【００２３】
上記の再生処理設備５により再生処理が実施され、先にも述べた溝壁２の安定確保や掘削土砂の排出媒体等の機能が回復されたポリマー系安定液３は、循環利用されるべく再度掘削溝１に供給される。一方、再生処理によっても機能回復が見込めないポリマー系安定液３は、循環利用されることなく廃棄処分となる。
【００２４】
ところで、機能回復を図るべく調合装置５３にてポリマー系安定液３の再生調合を行うにあたっては、掘削土砂が分離されたポリマー系安定液３に対してあらかじめ品質管理試験が行われる。その管理項目としては、ろ水量、粘性、比重、砂分およびｐＨの測定が一般に知られている。なかでも、ろ水量は、先にも述べた溝壁２の安定確保に寄与する造壁性を評価する項目であり、ろ水量が経時的に増加傾向を示す場合には、造壁性が低下するような劣化がポリマー系安定液３において進行しているものと判断される。
【００２５】
ここで、造壁性の機能が低下するような劣化要因としては一般に、ポリマーの減少、腐敗によるポリマーの分解、土中に存在するＣａ成分と接触することによる土粒子の凝集劣化、の３つの要因が知られている。しかし、ろ水量のみでは、いずれの劣化要因が起因して造壁性の機能を低下させているのかを特定することができない。
【００２６】
そこで、発明者らは鋭意検討した結果、ポリマーが有機物質であることに鑑み、水中に有機物質がどの程度含まれているかを示す指標であり、その値が大きいほど水中の有機物質が多いことを示す化学的酸素要求量（以下、ＣＯＤ値という。）に着目し、ＣＯＤ値とポリマー系安定液３のポリマー濃度との相関を検証するべく、室内実験を行った。
【００２７】
具体的には、２％ベントナイト溶液５０ｍｌにＣＭＣや増粘剤等の異なる３種類のポリマー（Ａ、Ｂ、Ｃ）をそれぞれ添加率が０．０５％、０．１％、０．３％となるよう添加し、合計９種類の試料を作成する。これら９種類の試料各々のＣＯＤ値を測定し、図２及び図３で示すような、縦軸にポリマーの添加率および横軸にＣＯＤ値をとったグラフを３種類のポリマー（Ａ、Ｂ、Ｃ）ごとに作成した。
【００２８】
なお、ＣＯＤ値の測定は、「ＪＩＳ手分析法（ＪＩＳ  Ｋ  ０１０２）」に定められた方法により行ってもよいが、本実施の形態では、簡易式ＣＯＤ計（ＣＯＤ−６０Ａ（ＴＯＡ−ＤＤＫ社製））による自動測定を行った。簡易式ＣＯＤ計による自動測定では、測定用セルに希釈した試料液５ｍｌを採取して測定試薬Iを４ｍｌと測定試薬IIを０．５ｍｌ
添加し、この測定用セルを測定ユニットにセットすることで自動計測によりＣＯＤ値が測定される。
【００２９】
また、本実施の形態において相関性の評価は、決定係数Ｒ2を指標に行っている。決定係数Ｒ2は、２つの変数（本実施の形態では、ＣＯＤ値とポリマーの添加率をいう）に対する回帰分析において、回帰直線が当てはまっているか否かを評価する指標であり、２つのデータ間の関係の強さを評価する際に用いる相関係数ｒの二乗と等しい。
【００３０】
一般的に、相関係数ｒ≧０．７で２つのデータ間に高い相関があるとされ、決定係数Ｒ2≧０．５で回帰直線が適合していると判断される。そして、決定係数Ｒ2=０．５のとき、ｒ≒０．７となるから、本実施の形態では、決定係数Ｒ2≧０．５の場合に、ＣＯＤ値とポリマーの添加率との間に有意な相関性が認められるものと判定する。
【００３１】
図２及び図３を見ると、３種類のポリマーＡ、Ｂ、ＣのすべてにおいてＲ2が０．９以上となり、０．５を大幅に上回る様子がわかる。これにより、ＣＯＤ値とポリマーの添加率との間には、ポリマーの種類によることなく有意な相関性があるものと想定できる。この結果から、ＣＯＤ値をポリマーの濃度変化を把握する指標として採用することとし、品質管理試験の管理項目に追加した。
【００３２】
以下に、ろ水量とＣＯＤ値を用いたポリマー系安定液３の品質管理方法を、図４のフロー図に沿って説明する。
【００３３】
〈ＳＴＥＰ１〉
まず、図１で示すように、地中掘削機４にて地盤掘削を継続している状態において、溝壁２を安定に保持するべく掘削溝１に充填されたポリマー系安定液３を掘削土砂とともに揚泥する。次に、土砂分離装置５１にて掘削土砂を分離し、掘削土砂を分離したポリマー系安定液３を貯留槽５２に貯留する。そして、貯留槽５２に貯留されたポリマー系安定液３からサンプルを採取し、ろ水量とＣＯＤ値を測定する。なお、従来より品質の管理項目として義務付けられている粘性、比重、砂分およびｐＨも測定を行っている。
【００３４】
ろ水量は、圧力下においてポリマー系安定液３をろ過したときの脱水量を、ろ水量として測定するものであり、本実施の形態では、ポリマー系安定液３の品質管理試験を実施する際に一般に広く用いられている、ＡＰＩ（アメリカ石油協会）規格に準拠したろ過試験器および試験方法を採用している。また、ＣＯＤ値の測定は、前述したように簡易式ＣＯＤ計にて自動測定してもよいし、「ＪＩＳ  Ｋ  ０１０２）」にて定められた方法で実施してもよい。
【００３５】
〈ＳＴＥＰ２〉
ろ水量を確認し、測定値が管理基準値（ポリマー系安定液を使用する場合、一般に３０ｍｌとされる）を超えていないものの、経時的に増加傾向にある場合には、ポリマー系安定液３の劣化が進行しているものと判断し、劣化要因を特定するべくＣＯＤ値の変動傾向を確認する。
【００３６】
一方、ろ水量が管理基準値を超えている場合には、造壁性の機能が喪失したものと判断し、ポリマー系安定液３の廃棄処理を行うとともに新たに作液したポリマー系安定液３との入れ替えを行う。また、ろ水量の測定値が管理基準値を超えておらず、かつ経時的な変動が認められない場合には、ポリマー系安定液３が健全な状態にあるものと判断し、再生調合を実施することなくそのまま循環利用する。
【００３７】
〈ＳＴＥＰ３〉
ポリマー系安定液３のＣＯＤ値の変動傾向を確認し、ＣＯＤ値が減少傾向にある場合、つまり有機物質が減少傾向にある場合には、ポリマー系安定液３に含有されるポリマーの濃度が低下しているものと推定できる。したがって、貯留槽５２に貯留されたポリマー系安定液３を調合装置５３に供給し、ポリマーを追加する再生調合を行ってポリマー濃度を調整し、濃度低下の防止を図る。
【００３８】
また、ポリマー系安定液３のＣＯＤ値が増加傾向にある場合、つまり有機物質が増加傾向にある場合には、ポリマー系安定液３中でバクテリアが繁殖してポリマーが腐敗し分解を生じ始めているものと推定できる。したがって、貯留槽５２に貯留されたポリマー系安定液３を調合装置５３に供給し、ポリマーを追加、もしくは耐腐敗性を有するポリマーを添加のいずれかの再生調合を行ってポリマー濃度の適正化を図る。なお、腐敗によるポリマーの分解が進行し造壁性の機能回復が見込めない場合には、廃棄処理を行うとともに新たに作液したポリマー系安定液３との入れ替えを行う。
【００３９】
さらに、ポリマー系安定液３のＣＯＤ値に変動が認められない、つまり有機物質の量が変動していない場合には、ポリマー系安定液３に含有されるポリマーの濃度に変化がないものと推定できる。この場合には、劣化要因がポリマーによるものではなく、土粒子の凝集劣化が生じ始めているものと推定できる。したがって、貯留槽５２に貯留されたポリマー系安定液３を調合装置５３に供給し、分散剤や炭酸ソーダ等の添加剤を添加する再生調合を行って土粒子を分散させるとともに、土粒子の凝集を予防する。
【００４０】
上記の通り、ろ水量の測定結果によりポリマー系安定液３の劣化の度合いを把握し、また、その経時変化によりポリマー系安定液３に劣化が進行しているものと判断された場合には、ＣＯＤ値の変動傾向からポリマーの濃度変化を把握することで、ポリマー系安定液３の劣化要因を特定することができる。これにより、高精度かつ効率的なポリマー系安定液３の品質管理が可能となる。
【００４１】
したがって、廃棄処分せざるを得ない程度の劣化に至る前に、劣化要因に対応した適切な再生調合を実施できることから、ろ水量の増加を抑制して確実に造壁性に係る機能回復を図ることができる。これにより、安全かつ経済的にポリマー系安定液３を利用した地盤掘削施工を実施することが可能となる。
【００４２】
さらに、ろ水量を適時測定し経時的に観測することにより、早期の段階で劣化要因に対応した適切な再生調合を行ことができるため、循環使用するポリマー系安定液の廃棄処分となる量を大幅に低減することができるとともに、ポリマー系安定液の長寿命化を図ることが可能となる。
【００４３】
上記の手順により再生されたポリマー系安定液３は、循環使用されるべく掘削溝１に再度供給される。また、上記の手順は、掘削溝１の構築が終了するまで繰り返し実施される。
【００４４】
なお、ろ水量およびＣＯＤ値の適時観測による経時的な変動傾向の把握は、最新の測定値と作液後であって掘削溝１への供給前の新液に対してあらかじめ測定した実測値との比較により把握してもよいし、経時観測を行って移動平均を算出し、これら移動平均から変動傾向を読み取ることにより把握するものであってもよい。
【００４５】
ろ水量およびＣＯＤ値の変動傾向を移動平均により把握する方法としては、例えば、地盤を１００ｍ3掘削するごとに、掘削溝１の３つの区画でろ水量とＣＯＤ値を測定しその平均値を取得する。これを１０００ｍ3分蓄積した後、測定結果の１０００ｍ3平均を算出する行為を、１００ｍ3掘削するごとに繰り返す。これらの結果から図５で示すように、横軸に掘削土累計量および横軸にろ水量とＣＯＤ値をとったグラフを作成する。
【００４６】
図５をみると、掘削土累計量が５５００ｍ3を超えるあたりから、ろ水量が基準管理値に達しないものの大幅に増加し始めており、ポリマー系安定液３が変質して劣化が進行している様子がわかる。このときＣＯＤ値をみると、掘削土累計量が６０００ｍ3を超えるあたりから、ろ水量の増加に追随するようにして増加し始めており、腐敗によるポリマーの分解が進行しているものと推定できる。したがって、ろ水量の増加を抑制するには、図４で示したフロー図にしたがって、ポリマーの追加もしくは耐腐敗性を有するポリマーへの変更と添加を検討するとよい。
【００４７】
この点について、発明者らは、掘削土累計量が５５００ｍ3を超えた時期は、５月下旬の気温が２０度を超えた気象状況にあり、ポリマーの腐敗が進行しやすい環境にあったとともに、ｐＨが通常１２前後であるところ１０．８まで低下しており、ポリマーが腐敗した際に起こる典型的な症状があらわれていたことを確認している。
【００４８】
このように、循環使用するポリマー系安定液３に対してろ水量とＣＯＤ値を適時観測し、取得した測定値に対して移動平均等の統計処理手段を用いることで経時的な変動傾向を把握することにより、ポリマー系安定液３の劣化の進行度合いと劣化要因を的確に把握することができる。
【００４９】
本発明のポリマー系安定液３の品質管理方法は、上記実施形態に限定されるものではなく、本発明の趣旨を逸脱しない範囲で種々の変更が可能である。
【００５０】
例えば、本実施の形態では、ポリマー系安定液３の主材にＣＭＣを採用したが、必ずしもこれに限定されるものではなく、増粘剤等ポリマー系安定液３の主材として一般に使用されている材料であれば、いずれを用いてもよい。また、主材に用いるポリマーは、１種類に限定されるものではなく、複数種類を混和させるものであってもよい。
【００５１】
さらに、再生処理設備５に対して、ろ水量とＣＯＤ値の測定から揚泥したポリマー系安定液３を再生調合するまでの一連の品質管理作業を実施することの可能な自動制御装置を備えて、ポリマー系安定液３の品質管理を自動制御するようにしてもよい。
【符号の説明】
【００５２】
１      掘削溝
２      溝壁
３      ポリマー系安定液
４      地中掘削機
５      再生処理装置
５１    土砂分離装置
５２    貯留槽
５３    調合装置
【図１】
2018003299.tif 000003
【図２】
2018003299.tif 000004
【図３】
2018003299.tif 000005
【図４】
2018003299.tif 000006
【図５】
2018003299.tif 000007